(57)【要約】【課題】気流による消音効果の低下を抑制することができ、かつメンテナンスを容易にする構成で、適切な時期にメンテナンスを行うことができる能動消音装置をレンジフードに搭載することを目的とする。【解決手段】加熱調理器の上方に設置され、屋外に連通した吐出口２と、調理時に発生する油煙を含んだ空気を吸い込む吸込口３とを有するフード４と、フード４内の吐出口２と吸込口３とを結ぶ風路６内の空気を屋外に排気する換気用ファン７とモータ８と、マイクロホン１９とスピーカ１１から構成される能動消音装置１３を備えたレンジフード１において、マイクロホン１９とスピーカ１１のいずれか、もしくは両方を設置するための風路６に接続された側空間１４を少なくとも一つ設け、側空間１４には側空間１４と風路６とを仕切るための複数の細孔１６を有する側空間カバー１５を備え、側空間カバー１５を照らす照明手段１７を設けた。【選択図】図２
2014055726.tif 000002
【特許請求の範囲】
【請求項１】
加熱調理器の上方に設置され、
屋外に連通した吐出口と、調理時に発生する油煙を含んだ空気を吸い込む吸込口とを有するフードと、
前記フード内の前記吐出口と前記吸込口とを結ぶ風路内の空気を屋外に排気する換気用ファンとモータと、
マイクロホンとスピーカを備える能動消音装置を備えたレンジフードにおいて、
前記スピーカと前記マイクロホンのいずれか、もしくは両方を設置するための前記風路に接続された側空間を少なくとも一つ設け、
前記側空間には前記側空間と前記風路とを仕切るための複数の細孔を有する側空間カバーを備え、前記側空間カバーを照らす照明手段を設けたことを特徴とするレンジフード。
【請求項２】
側空間内に照明手段を設け、
前記風路内の前記側空間に対面する壁面に照度センサを設置したことを特徴とする請求項１に記載のレンジフード。
【請求項３】
照明手段は放熱性を有することを特徴とする請求項１または２に記載のレンジフード。
【請求項４】
風路内に照明手段を設け、
前記側空間の前記風路に対面する壁面に照度センサを設置したことを特徴とする請求項１に記載のレンジフード。
【請求項５】
側空間カバーの表面が親水性の材質で形成されていることを特徴とする請求項１から４のいずれかに記載のレンジフード。
【請求項６】
側空間カバーは風路側から取外し可能な構造とすることを特徴とする請求項１から５のいずれかに記載のレンジフード。
【発明の詳細な説明】
【技術分野】
【０００１】
本発明は、レンジフードの風路に付設してレンジフード運転時に発生する騒音を消音するための能動消音装置を備えたレンジフードに関するものである。
【背景技術】
【０００２】
近年、台所に設置されるレンジフードは運転時に発生する騒音を低下することが求められている。このような課題を解決する手段の一つとして、レンジフード内に能動消音装置を搭載するという方法が挙げられる。
【０００３】
従来、この種の能動消音装置として、フード部内に風路から隔たれた空間を別途設け、その内部に能動消音装置を構成するマイクロホンやスピーカを配置した構造のものが知られている（例えば特許文献１参照）。
【０００４】
また、能動消音装として、風路内の排気ガスなどを含んだ気流の影響を緩和するために音響機器の機器操作部に臨む空間と、ダクト内空間に直通連結される空間とに仕切り、かつ音透過性、断熱性および湿度非透過性を有する仕切り層を設けたものが知られている（例えば特許文献２参照）。
【０００５】
以下、その能動消音器について図４、図５を参照しながら説明する。
【０００６】
従来、ダクト用能動型消音器としては、図４の縦断面図に示すように、ダクト１０１の内部に上流側から適宜間隔をそれぞれ設けて順次付設された内部原音のリファレンスマイク１０２，消音用スピーカ１０３，エラーマイク１０４  と、それらとそれぞれ接続された演算制御器１０５とから構成されるものが知られている。
【０００７】
この種の装置において、ダクト１０１内を気流１０６とともに伝搬する発生音は、リファレンスマイク１０２で周波数等が検出され、演算制御器１０５で上記原音と逆位相の信号が作成され、それが消音用スピーカ１０３からダクト１０１内に放出され上記原音をキャンセル消音し、エラーマイク１０４が内部音をモニターし、演算制御器１０５でエラーマイク１０４の出力が零になるように消音用スピーカ１０３を自動的に調整しており、図５に示すように、管内部空間を、音響機器の機器操作部に臨む第１空間１１７と、ダクト内空間１１５に直通連結される第２空間１１８に仕切り、かつ音透過性、断熱性および湿度非透過性を有する仕切り層を、導出管１１４に設けることでダクト１０１内を流れる高温、高湿度のガスが、直接音響機器の作動部に接触することがなくなり、温度、湿度の点で音響機器が作動不良を起こすことを防ぎ、音響機器の寿命を長くできる。さらに、第２空間１１８が設けられているため、断熱機能を発揮することができる。
【０００８】
また、能動消音装置として、風路内の気流のスピーカへの影響を緩和するため、図６に示すようにダクト１０１と直通状態で結合したスピーカボックス１２４において、消音用スピーカ１０３の前面に音響空間部１２６を設けたものが知られている（例えば特許文献３参照）。
【０００９】
なお、図５及び図６において、図４に示す構成要素と同じ又は同様の構成要素は同一の参照符号によって指示している。
【先行技術文献】
【特許文献】
【００１０】
【特許文献１】特開２００５−３３７５８４号公報
【特許文献２】特開平１０−３０７５８９号公報
【特許文献３】特開平８−３６３９０号公報
【発明の概要】
【発明が解決しようとする課題】
【００１１】
しかしながら上記従来の特許文献１に記載の装置では、換気用ファンから発生する騒音が伝播する風路内にマイクロホンやスピーカを設置していないため、十分な消音効果を得ることが困難であり、単純に風路内に設置しただけでは、レンジフードの構成における風路内の調理時に発生する高温高湿の油煙を含んだ気流の影響により、マイクロホンやスピーカの劣化が起こり易く、時間とともに消音効果が低下するという課題があった。
【００１２】
また、特許文献の２、３に記載の装置では、マイクロホンとスピーカを騒音が伝播する風路内に設置されており、更に高温高湿の油煙を含んだ気流の影響を避けている構造となっているものの、長期使用においては、油付着によって仕切り層の音透過性が低下したり、油付着により連通口が閉塞したりし、経時的に消音効果が低下するという課題があった。
【００１３】
更に、マイクやスピーカの交換、油や埃の洗浄など適切なメンテナンス時期がユーザに分かりづらく、消音効果が顕著に低下するまで消音装置を使用し続けるというという問題があった。
【００１４】
そこで本発明は、上記課題を解決するものであり、経時的な消音効果の低下および気流による消音効果の低下を抑制する能動消音装置を備えたレンジフードを提供することを目的とする。
【課題を解決するための手段】
【００１５】
そして、本発明は上記目的を達成するために、加熱調理器の上方に設置され、屋外に連通した吐出口と、調理時に発生する油煙を含んだ空気を吸い込む吸込口とを有するフードと、フード内の吐出口と吸込口とを結ぶ風路内の空気を屋外に排気する換気用ファンとモータと、マイクロホン（マイク）とスピーカを備える能動消音装置を備えたレンジフードにおいて、スピーカとマイクのいずれか、もしくは両方を設置するための風路に接続された側空間を少なくとも一つ設け、側空間には側空間と風路とを仕切るための複数の細孔を有する側空間カバーを備え、側空間カバーの細孔の目詰まりを検知するための照明手段を設けたものであり、これによって所期の目的を達成するものである。
【発明の効果】
【００１６】
本発明によれば、調理時に発生する高温高湿の油煙を含むレンジフード内に能動消音装置を設置しても、気流による消音効果の低下を抑制することができ、かつメンテナンスを容易にする構成で、適切な時期にメンテナンスを行うことができるため消音効果の劣化を抑えることができる。
【図面の簡単な説明】
【００１７】
【図１】本発明の実施の形態１のレンジフードの側断面を示す構成図
【図２】同レンジフードの側空間近傍の側断面図
【図３】本発明の実施の形態２のレンジフードの側断面を示す側断面図
【図４】従来の能動消音装置を示す断面図
【図５】従来の能動消音装置の断面図
【図６】従来の能動消音装置のスピーカ近傍の断面図
【発明を実施するための形態】
【００１８】
本発明の請求項１記載のレンジフードは、加熱調理器の上方に設置され、屋外に連通した吐出口と、調理時に発生する油煙を含んだ空気を吸い込む吸込口とを有するフードと、前記フード内の前記吐出口と前記吸込口とを結ぶ風路内の空気を屋外に排気する換気用ファンとモータと、マイクロホンとスピーカを備える能動消音装置を備えたレンジフードにおいて、スピーカとマイクロホンのいずれか、もしくは両方を設置するための風路に接続された側空間を少なくとも一つ設け、側空間には側空間と風路とを仕切るための複数の細孔を有する側空間カバーを備え、側空間カバーを照らす照明手段を設けたことを特徴とするレンジフードである。
【００１９】
これにより、スピーカやマイクを側空間内に備えているので高温高湿の油煙を含んだ気流の影響を避けることができる。また、側空間から側空間カバーの細孔を通過し、風路内へ透過する照明手段の照度から油付着による細孔の閉塞度合いを確認することで、目視により容易に細孔の洗浄時期を判断することが可能となる。これによって音の経路となる細孔を定期的に洗浄することで細孔が閉塞することを防いで消音効果の低下を抑制できる。更に、側空間内に照明手段が設置されているため、メンテナンスの際、手元を照らしながらの作業が可能となり、お手入れ性を増すことができる。
【００２０】
また、側空間内に照明手段を設け、風路内の側空間に対面する壁面に照度センサを設置することにより、照度センサが検知する側空間から側空間カバーの細孔を通過し、風路内へ透過する照明手段の照度に応じて側空間カバーの洗浄の必要性を判断することで、適切な時期にメンテナンスを行うことができ、消音効果の低下を抑制できる。また、メンテナンスの際、側空間内に照明手段が設置されているため、手元を照らしながらの作業が可能となり、お手入れ性を増すことができる。
【００２１】
また、側空間カバーを照らす照明手段は放熱性を有するものとすることで、照明手段から発生する熱により側空間カバーに付着した油が溶けて風路壁面をつたってレンジフードの下方へ流れ、油が側空間カバーに固着することを防ぐことができる。これにより消音効果の低下を抑制し、メンテナンス間隔を長くすることが可能となる。
【００２２】
また、風路内に照明手段を設け、側空間の風路に対面する壁面に照度センサを設置することにより、照度センサが検知する風路から側空間カバーの細孔を通過し、側空間内へ透過する照明手段の照度に応じて側空間カバーの洗浄の必要性を判断することで、適切な時期にメンテナンスを行うことができ、消音効果の低下を抑制できる。また、メンテナンスの際、風路内に照明手段が設置されているため、手元を照らしながらの作業が可能となり、お手入れ性を増すことができる。
【００２３】
また、側空間カバーの表面が親水性の材質で形成されているものであり、側空間カバーの洗浄時に、油が水洗いでも容易に除去できるので、お手入れ性を増すことができる。
【００２４】
また、側空間カバーを取りはずすことができるので、側空間カバーを水洗いすることができるとともに側空間の壁面の汚れをふき取り洗浄することができる。
【００２５】
（実施の形態１）
以下、本発明の実施の形態について、図１、図２を参照しながら説明する。
【００２６】
図１のレンジフード側断面図に示すように、本実施の形態のレンジフード１は、屋外に連通した吐出口２と、調理時に発生する油煙を含んだ空気を吸い込む吸込口３とを有するフード４と、吐出口２と吸込口３とを結ぶフード４内の風路６内に、空気を屋外に排気する換気用ファン７と、換気用ファン７を駆動するモータ８と、風路６内の吸込口３近傍に設置して吸い込んだ空気から油塵を除去するフィルタ５と、吸込口３近傍のフィルタ５より上流側に設置して風が流れやすくするための整流板９を備えたものである。
【００２７】
そして、レンジフード１に付設する能動消音装置１３は、風路６内を伝播する騒音を検出するマイクロホンとしてリファレンスマイク１０と、リファレンスマイク１０によって検出された騒音とは逆位相の音を風路６内に放出するスピーカ１１と、スピーカ１１から風路６内に放出された音によって減衰した騒音を検出するマイクロホンとしてエラーマイク１２とこれらを接続してコントロールする演算制御器（図示せず）から構成されている。
【００２８】
風路６に接続する側空間１４内部にスピーカ１１とマイクロホン１９（リファレンスマイク１０もしくはエラーマイク１２を指す）をそれぞれ備え、側空間１４には側空間１４と風路６を仕切るための側空間カバー１５を設け、側空間カバー１５はマイクロホン１９よりも小さな複数の細孔１６を有した構成となっている。なお、側空間カバー１５は、表面に親水性塗料が塗布されたものとし、側空間カバーは取り外し可能な構成とする。親水性塗料には例えば光触媒を用いたコーティング剤や無機系低汚染コーティング剤等が挙げられる。
【００２９】
また、スピーカ１１を備えた側空間１４の近傍Ａ部の拡大側断面図である図２に示すように、側空間１４内部には側空間カバー１５を照らし細孔１６の目詰まりを検知する照明手段１７を備えている。ここで、照明手段１７は白熱電球など放熱性を有するものとする。
【００３０】
上記構成により、吸込口３から吸い込まれた空気は風路６内を、フィルタ５、換気用ファン７の順で通過した後、吐出口２からフード外へと排気され、能動消音装置１３を備えているために、送風に伴うファン騒音は低減されて居室につながる吸込口３から放射されることとなる。
【００３１】
吸込口３からの空気は高温高湿の油煙を含んだ気流となり、大部分はフィルタ５で捕集されるが、油煙などの微量な一部はフィルタ５を通過し風路６内に進入する。ここでスピーカ１１およびマイクロホン１９（リファレンスマイク１０とエラーマイク１２）は側空間カバー１５で覆われているので、マイクロホン１９に油煙が付着してファン騒音の検出精度を低下させることを防ぐことができる。
【００３２】
また、側空間１４内部に側空間カバー１５を照らす照明手段１７を設けた構成であることから、側空間１４から側空間カバー１５の細孔１６を通過し、風路内へ透過する照明手段１７の照度から油付着による細孔１６の閉塞度合いを検知することができるため、ユーザは整流板９とフィルタ５を取り外し、風路６内を目視により確認することで容易に細孔１６の洗浄時期を判断することが可能となる。なお、フード４の側面に点検孔を設けることにより風路６内の照度を確認する構成としてもよい。これによって音の経路となる細孔１６を定期的に洗浄することで細孔１６が閉塞することを防ぎ、消音効果の低下を抑制できるものである。
【００３３】
また、照明手段１７は放熱性を有するものであるため、側空間カバー１５に付着した油滴は照明手段１７から発生する熱によってあたためられ、側空間カバー１５に固着するのを防ぎ、通風路壁面２０を伝って流れ落ちる効果を奏する。なお、流れた油滴は、フィルタ５もしくは整流板９で受けられるようにするか、側空間カバー１５の下方に油受け（図示せず）を設けることで、回収が容易になる。
【００３４】
更に、側空間１４内に照明手段１７を設けたことにより、風路６内部を照らしてメンテナンス作業を行うことが可能となり、お手入れ性を増すことができる。
【００３５】
また、油煙が付着した側空間カバー１５の洗浄時においては、表面に親水性塗料を塗布しているので、水洗いにより水が表面と油の間に入り込むことで油が側空間カバー１５から容易に除去でき、お手入れ性を増すことが出来る。
【００３６】
また、消音精度を高めるべくフィードバック制御としてスピーカ１１により消音した効果を確認・修正するためのエラーマイク１２を使用しているが、騒音源の特性が予め決まっているような音源においては、リファレンスマイク１０によりスピーカ１１から発生する音の位相のタイミングを合わせるだけの制御とでき、この場合はエラーマイク１２を使用しなくてもよい。
【００３７】
（実施の形態２）
実施の形態２において、実施の形態１と同様の構成要素については同一の符号を付し、その詳細な説明は省略する。
【００３８】
図１における実施の形態２のリファレンスマイク１０とエラーマイク１２の近傍Ａ部の側断面図を図３に示す。
【００３９】
実施の形態１との違いは、側空間１４に対面する通風路壁面２０に照度センサ１８を設置している点である。
【００４０】
上記構成により、照度センサ１８が側空間１４から側空間カバー１５の細孔１６を通過し、風路６内へ透過する照明手段１７の照度を検知し、それに相当する油付着による細孔１６の閉塞度合いを推定することで、消音効果の低下が予測できる。
【００４１】
これにより照度センサが検知する照度が許容可能な消音効果の低下、例えば初期の消音効果の半分の消音効果に相当する照度以下となるときを、メンテナンス時期とすることで、ユーザは適切な時期にメンテナンスを行うことが可能となり、音の経路となる細孔１６を定期的に洗浄することで消音効果の低下を抑制できる。
【００４２】
なお、メンテナンス時に点灯する照明を設けるか、スピーカにより音声でメンテナンス時期をアナウンスする機能を設けることにより、ユーザにメンテナンス時期を知らせることができる。
【００４３】
また、図３では照明手段１７を風路６内に、照度センサ１８を側空間１４内に設けているが、照明手段１７を側空間１４内に、照度センサ１８を風路６内に設けても、同様に消音効果の低下の抑制、お手入れ性向上の効果を得ることができる。
【産業上の利用可能性】
【００４４】
本発明にかかるレンジフード用能動消音装置は、十分な消音効果を得るとともに、性能劣化の要因となる熱・水分・油からマイクロホンやスピーカを守り、メンテナンスを容易にする構成であることから、高温・高湿環境下における換気装置や、油煙を含む環境下における換気装置に搭載する消音装置として有用である。
【符号の説明】
【００４５】
１    レンジフード
２    吐出口
３    吸込口
４    フード
５    フィルタ
６    風路
７    換気用ファン
８    モータ
９    整流板
１０  リファレンスマイク
１１  スピーカ
１２  エラーマイク
１３  能動消音装置
１４  側空間
１５  側空間カバー
１６  細孔
１７  照明手段
１８  照度センサ
１９  マイクロホン
２０  通風路壁面
１０１  ダクト
１０２  リファレンスマイク
１０３  消音用スピーカ
１０４  エラーマイク
１０５  演算制御器
１０６  気流
１１４  導出管
１１５  ダクト内空間
１１７  第１空間
１１８  第２空間
１２４  スピーカボックス
１２６  音響空間部
【図１】
2014055726.tif 000003
【図２】
2014055726.tif 000004
【図３】
2014055726.tif 000005
【図４】
2014055726.tif 000006
【図５】
2014055726.tif 000007
【図６】
2014055726.tif 000008